(57)【特許請求の範囲】
【請求項１】
鉄板を逆Ｕの字状に折り曲げて、天面部と両側壁部を形成した外箱と、この外箱の上面に配置されるトップテーブルと、このトップテーブル及び外箱の内側に間隔を設けて配置される内箱とを備え、前記外箱の天面部には係止角穴及び、開口穴を設け、前記トップテーブルには前記係止角穴に嵌合挿入し前記外箱の上端縁に係止する係止片、および前記開口穴を上方より全周囲むように設けたリブとを一体に形成し、これらの内箱，外箱及び、内箱と外箱の天面部に設けた開口穴を通過して開口穴を上方より全周囲むようにトップテーブルに設けたリブとの間に充填する発泡断熱材とで構成したことを特徴とするトップテーブル付き冷蔵庫箱体。
【請求項２】
外箱の天面部に設けた開口穴と相対向するトップテーブルより開口穴に突する突出リブ及び開口穴の天面部に接する当接リブを一体に設けたことを特徴とする請求項１に記載のトップテーブル付き冷蔵庫箱体。
【請求項３】
外箱の天面部に放射状に相対向して複数の開口穴を設けたことを特徴とする請求項１に記載のトップテーブル付き冷蔵庫箱体。
【請求項４】
外箱の天面部前面に数個の係止角穴を設け、前記角穴と相対向するトップテーブルより係止片と係止片の四方を囲むリブを一体に形成し、このリブ間に発泡断熱材を充填され前記係止片が断熱材中に埋設したことを特徴とする請求項１に記載のトップテーブル付き冷蔵庫箱体。
【発明の詳細な説明】
【０００１】
【発明の属する技術分野】
本発明は外箱の天面部に開口穴を有し、その上面に物品を設置するトップテーブル付き冷蔵庫箱体に関する。
【０００２】
【従来の技術】
従来のこの種トップテーブル付冷蔵庫は例えば特開平９−２５０８６５号公報に記載されており以下図１３，１４を参照しながら説明する。１は前面を開口する冷蔵庫本体、２は冷蔵庫本体１の開口を開閉自在に閉塞する扉、３は冷蔵庫本体１の上端に装着するトップテーブルである。冷蔵庫本体１は両側壁４とこの側壁の背面側に設けられる背壁５とで形成される外箱６と、この外箱の内側で間隔を介して配置され前面を開口した内箱７と、この内箱と外箱との間及び内箱とトップテーブル３との間に充填される発泡断熱材８とで構成されている。内箱７には開口端に内側から外側に向かってフランジ９が形成され、このフランジの上端は外箱６の両側壁４及び背壁５の上端と同じ高さに形成されている。
【０００３】
トップテーブル３は外箱６の上端と内箱７のフランジ９の上端とに係止して水平に配置される合成樹脂で形成されるトップテーブル本体１０と、ステンレス等の耐熱性の金属材料で形成されるテーブル部１１とで構成されている。トップテーブル本体１０は周囲に下方に向かって折曲される折り曲げ片１２を有し、前端を外箱６より前方に突出させて扉２と同一面にしている。トップテーブル本体１０には四角形に凹所１３が形成されている。この凹所にはテーブル部１１が嵌合されている。このテーブル部は平板１４とこの平板の周囲に下方に向かって形成される脚片１５とで構成されている。テーブル部１１はトップテーブル本体１０の凹所１３に嵌め合わせることで内部に空間１６を形成している。このように構成されたトップテーブル付冷蔵庫において、冷蔵庫は外箱６と内箱７とで形成される冷蔵庫本体１の上端にトップテーブル３を組み込み、これらの間に発泡断熱材８を充填し、扉２を取り付けて形成される。
【０００４】
【発明が解決しようとする課題】
しかしながら、従来のトップテーブル付冷蔵庫では合成樹脂で形成されるトップテーブル本体１０と、ステンレス等の金属材料で形成されるテーブル部１１とで構成の為、構成が複雑で又非常にコストの高いトップテーブル構成となっていた。又、トップテーブル本体１０には四角形に凹所１３が形成され、この凹所１３に別体のテーブル部１１が嵌み合せることで内部に空間１６を形成した構造の為、断熱壁厚が薄くなり断熱性能が低下する等の問題がある。必要な断熱壁厚を確保する為には、トップテーブル本体１０と内箱７間の寸法を大きくする必要がありそのため冷蔵庫，庫内容積を減少させるか、冷蔵庫本体の高さをアップさせなければいけない等の問題があった。
【０００５】
本発明は、トップテーブルに高温の機器を設置しても変形がなく、必要な断熱壁厚を庫内容積，冷蔵庫本体の高さに影響させないコストの安い構成でトップテーブル付き冷蔵庫箱体を提供することを目的とする。
【０００６】
【課題を解決するための手段】
この目的を達成するため、本発明は鉄板を逆Ｕの字状に折り曲げて、天面部と両側壁部を形成した外箱と、この外箱の上面に配置されるトップテーブルと、このトップテーブル及び外箱の内側に間隔を設けて配置される内箱とを備え、前記外箱の天面部には係止角穴及び、開口穴を設け、前記トップテーブルには前記係止角穴に嵌合挿入し前記外箱の上端縁に係止する係止片、および前記開口穴を上方より全周囲むように設けたリブとを一体に形成し、これらの内箱，外箱及び、内箱と外箱の天面部に設けた開口穴を通過して開口穴を上方より全周囲むようにトップテーブルに設けたリブとの間に充填する発泡断熱材とで構成しているため庫内容積を減らす又冷蔵庫高さをアップさせることがなく更に作業性のよいコストのかからないトップテーブル付き冷蔵庫が提供できる。
【０００７】
また、本発明は、外箱の天面部に設けた開口穴と相対向するトップテーブルより開口穴に突する突出リブ及び開口穴の天面部に接する当接リブを一体に設けたことにより発泡断熱材のシール部材が不用となり作業性の向上が図れる。
【０００８】
また、本発明は、外箱の天面部に放射状に相対向して複数の開口穴を設けたトップテーブル付き冷蔵庫箱体のため外箱の強度向上が図れる。
【０００９】
また、本発明は、外箱の天面部前面に数個の係止角穴を設け、角穴と相対向するトップテーブルより係止片と係止片の四方を囲むリブを一体形成し、このリブ間に発泡断熱材を充填され係止片が断熱材中に埋設したトップテーブル構成の為、別の補強板又付加部材が不用となり、コスト及び取付け工数のかからない強固な取付けが確保できるトップテーブル付き冷蔵庫箱体が提供できる。
【００１０】
【発明の実施の形態】
本発明の請求項１に記載の発明は、鉄板を逆Ｕの字状に折り曲げて、天面部と両側壁部を形成した外箱と、この外箱の上面に配置されるトップテーブルと、このトップテーブル及び外箱の内側に間隔を設けて配置される内箱とを備え、前記外箱の天面部には係止角穴及び、開口穴を設け、前記トップテーブルには前記係止角穴に嵌合挿入し前記外箱の上端縁に係止する係止片、および前記開口穴を上方より全周囲むように設けたリブとを一体に形成し、これらの内箱，外箱及び、内箱と外箱の天面部に設けた開口穴を通過して開口穴を上方より全周囲むようにトップテーブルに設けたリブとの間に充填する発泡断熱材とで構成しているため、従来の耐熱性の金属材料で形成されるテーブル部が不要となりコスト、工数の低減が図れる。また天面部の開口穴とトップテーブル間の発泡断熱材は断熱壁厚となるため、庫内容積を減らす又冷蔵庫箱体の高さをアップさせることのないトップテーブル付き冷蔵庫箱体が提供できる。
【００１１】
また、請求項２に記載の発明は、外箱の天面部に設けた開口穴と相対向するトップテーブルより開口穴に突する突出リブ及び開口穴の天面部に接する当接リブを一体に設けたことにより発泡断熱材のシール部材が不用となり作業性の向上が図れる。
【００１２】
また、請求項３に記載の発明は、外箱の天面部に放射状相対向して複数の開口穴を設けたトップテーブル付き冷蔵庫箱体のため外箱の強度向上が図れる。
【００１３】
また、請求項４に記載の発明は、外箱の天面部前面に数個の係止角穴を設け、角穴と相対向するトップテーブルより係止片と係止片の四方を囲むリブを一体形成し、このリブ間に発泡断熱材を充填され係止片が断熱材中に埋設したトップテーブル構成のため、別の補強板又付加部材が不要なコスト及び工数のかからない強固な取付けが確保できるトップテーブル付き冷蔵庫箱体が提供することができる。
【００１４】
【実施例】
以下、本発明によるトップテーブル付き冷蔵庫箱体の実施例について図面を参照しながら説明する。なお、従来と同一構成については、同一符号を付して詳細な説明を省略し異なる部分について述べる。
【００１５】
（実施例１）
図１は、本発明の実施例１による冷蔵庫の斜視図である。図２は、同実施例のトップテーブルの平面図である。図３は、同実施例のトップテーブルの要部断面図である。図４は、同実施例のトップテーブルの要部詳細図である。
【００１６】
図１から図４において、１７は前面を開口する冷蔵庫本体、１８は冷蔵庫本体１７の開口を開閉自在に閉塞する扉、１９は冷蔵庫本体１７の上端に装着する合成樹脂で形成されるトップテーブルである。冷蔵庫本体１７は鋼板材を逆Ｕ字状に折り曲げることで形成される天面部２０と、両側壁２１とこの側壁の背面側に設けられる背壁２２とで形成される外箱２３と、この外箱の内側で間隔を介して配置され前面を開口した内箱２４と、この内箱と外箱との間及び内箱とトップテーブル１９との間に充填される発泡断熱材２５とで構成されている。
【００１７】
外箱２３の天面部２０には前面側に係止角穴２６と、ほぼ中央に四角形の開口穴２７が形成されている。外箱の天面部上方に配置されるトップテーブル１９は前記係止角穴２６、開口穴２７に相対向する係止片２８、全周を四角に囲むリブ２９を一体に形成されている。
【００１８】
以下トップテーブル１９の外箱２３の天面部２０に装着される動作について説明する。
【００１９】
天面部２０に設けた係止角穴２６へ上方よりトップテーブル１９に形成した係止片２８を嵌合挿入しトップテーブル１９は外箱２３の上端縁とに係止して一部背面側でトップテーブルを介して取付ビス３０にて背壁２２に固定して水平に設置される。この時天面部２０に設けた開口穴２７を上方より開口穴２７を四方より囲む様にトップテーブルより形成したリブ２９先端が全周天面部２０に接する様配置されている。トップテーブル１９は天面部２０に嵌み合せることで内部に空間３１を形成している。
【００２０】
この様に構成されたトップテーブル付冷蔵庫箱体において、トップテーブル１９を組み込み後、これらの内箱２４，外箱２３又天面部２０に設けた開口穴２７を通過しトップテーブルの四方を囲むリブ２９の間に発泡断熱材２５を充填し、扉１８を取り付けて形成される。
【００２１】
この様な構成の為、開口穴２７より上方のトップテーブルへ充填した発泡断熱材２５のウレタン洩れシールをリブ２９先端を天面部２０に接することでシールができ別物のリブ先端へのシール部材が不要となる。又天面部２０の開口穴２７より洩らし充填した発泡断熱材２５を断熱壁厚とみなすため庫内容積を減らすことなく、又冷蔵庫箱体の高さをアップさせることなく有効な冷蔵庫箱体のサイズが提供できる。
【００２２】
更に外箱２３の天面部２０にトップテーブル１９を容易に取付けることができトップテーブル付き冷蔵庫箱体としてコスト，工数の低減が図れる。
【００２３】
（実施例２）
図１は、本発明の実施例２を示す冷蔵庫の斜視図である。図５は、同実施例のトップテーブルの要部断面図である。図６は、同実施例のトップテーブルの要部詳細図である。
【００２４】
図５，図６において、外箱２３の天面部２０に四角形の開口穴２７が形成されている。外箱の天面部上方に配置されるトップテーブル１９は、前記開口穴２７に相対向し突出リブ３２，当接リブ３３を各々一体に形成し開口穴２７の全周を嵌合している構成の為、開口穴２７より上方のトップテーブルへ充填した発泡断熱材２５のシールを突出リブ３２と天面部２０に接する当接リブ３３でシールが可能となり別のシール部材が不要となり作業性の向上が図れる。
【００２５】
（実施例３）
図７は、本発明の実施例３を示すトップテーブルの平面図である。図８は、同実施例のトップテーブルの要部断面図である。図７，図８において、逆Ｕ字状に折り曲げることで形成される外箱２３の天面部２０に放射状に相対向して開口した数個の開口穴３４を上方より開口穴３４を四方より囲むようにトップテーブル１９より形成したリブ２９先端が全周天面部２０に接する様配置されている。
【００２６】
この様な構成において発泡断熱材２５は放射状の数個の開口穴３４より上方のトップテーブル１９へ洩れ充填され全周のリブ２９でシールされる。この様に放射状に開口穴３４を設ける為、大きな四角形の開口穴よりトップテーブル１９を天面部２０に取付ける前の逆Ｕ字状に折り曲げて形成した外箱２３の強度向上が図れる。又トップテーブル１９を取付けた後の発泡後の状態も断熱材中に放射状の鋼材が埋設するため外箱２３の強度向上が図れる。
【００２７】
（実施例４）
図９は、本発明の実施例４を示すトップテーブルの平面図である。図１０は、同実施例のトップテーブル要部断面図である。図１１は、同実施例のトップテーブル要部詳細図である。図１２は、同実施例のＡ−Ａ断面図である。
【００２８】
図９から図１２において、外箱２３の天面部２０前面に数個の係止角穴２６が形成されている。外箱２３の天面部２０上方に配置されるトップテーブル１９は、前記係止角穴２６に相対向する係止片２８と、係止片２８の四方を囲むリブ３５を一体に形成している。又ストップテーブル１９は、扉１８のヒンジ部を形成する為一部前端を外箱２３より前方に突出させて扉１８と同一面にしている。
【００２９】
以下トップテーブル１９の外箱２３の天面部２０に装着される動作について説明する。天面部２０に設けた数個の係止角穴２６へ上方よりトップテーブル１９に形成した数個の係止片２８を各々嵌合挿入されるこの時トップテーブル１９より数個の係止片２８の各々四方を囲むリブ３５の先端が天面部２０に接する様配置される。この様に構成されたトップテーブル１９を組み込み後、発泡断熱材２５は天面部２０の前面側に設けた係止角穴２６より上方のトップテーブル面へ各々洩れ充填され四方を囲むリブ３５でウレタンシールされる。
【００３０】
この時各々の係止片２８が断熱材中に埋設されるように充填している。その後扉１８をトップテーブル１９の前方に突出したヒンジ部に取り付けて形成される。この様な構成の為、各々係止角穴２６より洩れ充填された発泡断熱材２５のシールを四方を囲むリブ３５で別物のシール部材が必要ない。
【００３１】
又係止角穴２６へ係止片２８が嵌合挿入され且つ係止片２８が断熱材中に埋設されるトップテーブル取付け構成の為、別の補強板又付加部材の必要のないコスト及び取付け工数の低減となる強固な取付けができる。更に係止角穴２６と係止片２８の嵌合挿入部をトップテーブル１９より突出して扉１８を保持するヒンジ部の近傍に形成する事によりトップテーブルヒンジ部の強度向上が図れる。
【００３２】
【発明の効果】
以下説明したように請求項１に記載の発明は、天面部及び両側壁及び背壁等で形成される外箱と、この外箱の上面に配置される合成樹脂で形成されるトップテーブルと、このトップテーブル及び外箱の内側に間隔を設けて配置される内箱とを備え、前記外箱の天面部には係止角穴及び、開口穴を設け、前記トップテーブルには前記係止角穴に嵌合挿入し前記外箱の上端縁に係止する係止片、および前記開口穴を上方より全周囲むように設けたリブとを一体に形成し、これらの内箱，外箱及び、内箱と外箱の天面部に設けた開口穴を通過して開口穴を上方より全周囲むようにトップテーブルに設けたリブとの間に充填する発泡断熱材とで構成しているため、従来の耐熱性の金属材料で形成されるテーブル部が不用となり、コスト，工数の低減が図れる。又天面部の開口穴とトップテーブル間の発泡断熱材は断熱壁厚となるため従来の様な無効な空間がなくなり庫内容積を減じる又冷蔵庫箱体の高さをアップさせることのないトップテーブル付き冷蔵庫箱体が提供できる。
【００３３】
また請求項２に記載の発明は、外箱の天面部に設けた開口穴と相対向するトップテーブルより開口穴に突する突出リブ及び開口穴の天面部に接する当接リブを一体に設けたことにより発泡断熱材のシール部材が不用となり作業性の向上が図れる。
【００３４】
また、請求項３に記載の発明は、外箱の天面部に放射状に相対向して複数の開口穴を設けたトップテーブル付き冷蔵庫箱体のため外箱の強度向上が図れる。
【００３５】
また、請求項４に記載の発明は、外箱の天面部前面に数個の係止角穴を設け、角穴と相対向するトップテーブルより係止片と係止片の四方を囲むリブを一体形成し、このリブ間に発泡断熱材を充填され係止片が断熱材中に埋設したトップテーブル構成のため、トップテーブルの取付け強度の確保のため、別の補強板又付加部材が必要なくコスト及び工数の低減となりテーブルの取付けとして強固な取付けが確保できるトップテーブル付き冷蔵庫箱体が提供でき得る。
【図面の簡単な説明】
【図１】本発明の実施例１から４を示す冷蔵庫の斜視図
【図２】同実施例のトップテーブルの平面図
【図３】同実施例のトップテーブルの要部断面図
【図４】同実施例のトップテーブルの要部詳細図
【図５】本発明の実施例２によるトップテーブルの要部断面図
【図６】同実施例のトップテーブルの要部詳細図
【図７】本発明の実施例３によるトップテーブルの平面図
【図８】同実施例のトップテーブルの要部断面図
【図９】本発明の実施例４によるトップテーブルの平面図
【図１０】同実施例のトップテーブルの要部断面図
【図１１】同実施例のトップテーブルの要部詳細図
【図１２】同実施例のＡ−Ａ断面図
【図１３】従来の冷蔵庫の斜視図
【図１４】従来のトップテーブルの要部断面図
【符号の説明】
１９  トップテーブル
２０  天面部
２１  両側壁
２２  背壁
２３  外箱
２４  内箱
２５  発泡断熱材
２６  係止角穴
２７，３４  開口穴
２８  係止片
２９，３５  リブ
３２  突出リブ
３３  当接リブ
【図１】
0004104797.tif 000002
【図２】
0004104797.tif 000003
【図３】
0004104797.tif 000004
【図４】
0004104797.tif 000005
【図５】
0004104797.tif 000006
【図６】
0004104797.tif 000007
【図７】
0004104797.tif 000008
【図８】
0004104797.tif 000009
【図９】
0004104797.tif 000010
【図１０】
0004104797.tif 000011
【図１１】
0004104797.tif 000012
【図１２】
0004104797.tif 000013
【図１３】
0004104797.tif 000014
【図１４】
0004104797.tif 000015